(57)【要約】【課題】表示される画像の視認の妨げとならないように、経過時間を通知する。【解決手段】取得した表示画像を表示する表示部と、計測開始の指示を受け付けるとともに経過時間を計側する経過時間計測部と、設定時間を設定する時間設定部と、前記経過時間との差に応じたメッセージ画像を生成するメッセージ生成部と、前記差に応じて前記取得した表示画像の表示サイズを変更し、前記サイズを変更した表示画像と前記メッセージ画像とが重ならないように前記表示部に表示させる表示制御部と、を含む表示装置。【選択図】図１
2015184649.tif 000002
【特許請求の範囲】
【請求項１】
取得した表示画像を表示する表示部と、
計測開始の指示を受け付けるとともに、前記受け付けた計測開始の指示からの経過時間を計測する経過時間計測部と、
設定時間を設定する時間設定部と、
前記設定時間と前記経過時間との差に応じたメッセージ画像を生成するメッセージ生成部と、
前記設定時間と前記経過時間との差に応じて、前記取得した表示画像の表示サイズを変更し、前記サイズを変更した表示画像と前記メッセージ画像とが重ならないように前記表示部にともに表示させる表示制御部と、
を含む表示装置。
【請求項２】
請求項１に記載の表示装置であって、
前記表示制御部は、前記経過時間が前記設定時間に到達する前において、前記設定時間と前記経過時間との差が小さくなるのに応じて、前記メッセージ画像のサイズを大きくすることを特徴とする表示装置。
【請求項３】
請求項１に記載の表示装置であって、
前記表示制御部は、前記経過時間が前記設定時間を超過した場合、前記超過した時間に応じて前記メッセージ画像のサイズを大きくすることを特徴とする表示装置。
【請求項４】
請求項１乃至３のいずれかに記載の表示装置であって、
前記表示制御部は、前記経過時間が前記設定時間を超過した後、前記表示部への表示画像の表示を停止させることを特徴とする表示装置。
【請求項５】
請求項１乃至４のいずれかに記載の表示装置であって、
前記メッセージ生成部は、前記経過時間が前記設定時間に到達する前において、前記設定時間と前記経過時間との差が小さくなるのに応じて、前記メッセージ画像に含めるメッセージを増やすことを特徴とする表示装置。
【請求項６】
請求項１乃至４のいずれかに記載の表示装置であって、
前記メッセージ生成部は、前記経過時間が前記設定時間を超過した場合、前記超過した時間に応じて前記メッセージ画像に含めるメッセージを増やすことを特徴とする表示装置。
【請求項７】
取得した表示画像を表示する表示部と、
計測開始の指示を受け付けるとともに、前記受け付けた計測開始の指示からの経過時間を計測する経過時間計測部と、
設定時間を設定する時間設定部と、
前記経過時間が、前記設定時間を超過した後、前記表示部への表示画像の表示を停止させる表示制御部と、
を含む表示装置。
【請求項８】
取得した表示画像を表示部へ表示するステップと、
設定時間を設定するステップと、
前記設定された設定時間と、計測開始の指示からの経過時間との差に応じたメッセージ画像を生成するステップと、
前記設定時間と、前記経過時間との差に応じて、前記表示画像のサイズを変更し、前記サイズを変更した表示画像と前記メッセージ画像とが重ならないように、前記表示部に表示させるステップと、
を含む方法。
【請求項９】
取得した表示画像を表示部へ表示するステップと、
設定時間を設定するステップと、
計測開始の指示からの経過時間が、前記設定された設定時間を超過した後、前記表示部への前記表示画像の表示を停止させるステップと、
を含む方法。
【請求項１０】
コンピューターに、
取得した表示画像を表示部へ表示するステップと、
設定時間を設定するステップと、
前記設定された設定時間と、計測開始の指示からの経過時間との差に応じたメッセージ画像を生成するステップと、
前記設定時間と、前記経過時間との差に応じて、前記表示画像のサイズを変更し、前記サイズを変更した表示画像と前記メッセージ画像とが重ならないように、前記表示部に表示させるステップと、
を実行させるためのプログラム。
【請求項１１】
コンピューターに、
取得した表示画像を表示部へ表示するステップと、
設定時間を設定するステップと、
計測開始の指示からの経過時間が、前記設定された設定時間を超過した後、前記表示部への前記表示画像の表示を停止させるステップと、
を実行させるためのプログラム。
【発明の詳細な説明】
【技術分野】
【０００１】
本発明は、表示装置、方法及びプログラムに関する。
【背景技術】
【０００２】
特許文献１（特開平１０−２６７９９号公報）には、入力された画像データに基づいてその画像を拡大投影するプロジェクター装置において、時間を計測する計時手段と、この計時手段によって計測された時刻を投影される画像に重ねて表示する画像重ね表示手段と、を一体に備えることを特徴とするプロジェクター装置が記載されている。
【先行技術文献】
【特許文献】
【０００３】
【特許文献１】特開平１０−２６７９９号公報
【発明の概要】
【発明が解決しようとする課題】
【０００４】
一般的に、プロジェクターなどの表示装置にて画像を表示しながらプレゼンテーションなどを実施する際に、時刻や経過時間を簡便に確認したいという要求がある。特許文献１に記載された技術は、表示される画像と時刻とが重ねて表示されるため、表示される時刻が、表示される画像の視認の妨げとなる。
【０００５】
そこで、本発明は、表示される画像の視認の妨げとならないように、経過時間等の時間に関する情報を通知することのできる技術を提供することを目的とする。
【課題を解決するための手段】
【０００６】
上記課題を解決するための第一の態様は、表示装置であって、取得した表示画像を表示する表示部と、計測開始の指示を受け付けるとともに、前記受け付けた計測開始の指示からの経過時間を計側する経過時間計測部と、設定時間を設定する時間設定部と、前記設定時間と前記経過時間との差に応じたメッセージ画像を生成するメッセージ生成部と、前記設定時間と前記経過時間との差に応じて、前記取得した表示画像の表示サイズを変更し、前記サイズを変更した表示画像と前記メッセージ画像とが重ならないように前記表示部にともに表示させる表示制御部と、を含む。これにより、表示される画像の視認の妨げとならないように、時間に関する情報を表示することができる。
【０００７】
ここで、前記表示制御部は、前記経過時間が前記設定時間に到達する前において、前記設定時間と前記経過時間との差が小さくなるのに応じて、前記メッセージ画像のサイズを大きくしてもよい。これにより、経過時間の把握が容易となる。
【０００８】
ここで、前記表示制御部は、前記経過時間が前記設定時間を超過した場合、前記超過した時間に応じて前記メッセージ画像のサイズを大きくしてもよい。表示される画像の視認の妨げとならないように、時間に関する情報を表示することができる。
【０００９】
ここで、前前記表示制御部は、前記経過時間が前記設定時間を超過した後、前記表示部への表示画像の表示を停止させてもよい。これにより、時間が超過したことがわかりやすくなる。
【００１０】
ここで、前記メッセージ生成部は、前記経過時間が前記設定時間に到達する前において、前記設定時間と前記経過時間との差が小さくなるのに応じて、前記メッセージ画像に含めるメッセージを増やしてもよい。また、前記経過時間が前記設定時間を超過した場合、前記超過した時間に応じて前記メッセージ画像に含めるメッセージを増やしてもよい。これにより、より効率的な注意喚起を実現できる。
【００１１】
また、第二の態様は、表示装置であって、取得した表示画像を表示する表示部と、計測開始の指示を受け付けるとともに、前記計測開始の指示からの経過時間を計測する経過時間計測部と、設定時間を設定する時間設定部と、前記経過時間が、前記設定時間を超過した後、前記表示部への表示画像の表示を停止させる表示制御部と、を含む。これにより、ディスプレイに表示される画像の視認の妨げとならずに時間に関する情報を通知することができる。
【００１２】
また、第三の態様は、方法であって、取得した表示画像を表示部へ表示するステップと、設定時間を設定するステップと、前記設定された設定時間と、計測開始の指示からの経過時間との差に応じたメッセージ画像を生成するステップと、前記設定時間と、前記経過時間との差に応じて、前記表示画像のサイズを変更し、前記サイズを変更した表示画像と前記メッセージ画像とが重ならないように、前記表示部に表示させるステップと、を含む。
【００１３】
また、第四の態様は、方法であって、取得した表示画像を表示部へ表示するステップと、設定時間を設定するステップと、計測開始の指示からの経過時間が、前記設定された設定時間を超過した後、前記表示部への前記表示画像の表示を停止させるステップと、を含む。
【００１４】
また、第五の態様は、コンピューターに、取得した表示画像を表示部へ表示するステップと、設定時間を設定するステップと、前記設定された設定時間と、計測開始の指示からの経過時間との差に応じたメッセージ画像を生成するステップと、前記設定時間と、前記経過時間との差に応じて、前記表示画像のサイズを変更し、前記サイズを変更した表示画像と前記メッセージ画像とが重ならないように、前記表示部に表示させるステップと、を実行させるためのプログラムである。
【００１５】
また、第六の態様は、コンピューターに、取得した表示画像を表示部へ表示するステップと、設定時間を設定するステップと、計測開始の指示からの経過時間が、前記設定された設定時間を超過した後、前記表示部への前記表示画像の表示を停止させるステップと、を実行させるためのプログラムである。
【発明の効果】
【００１６】
本発明の技術によれば、表示される画像の視認の妨げとならないように、時間に関する情報を通知することが可能となる。上記以外の課題、構成および効果等は、以下の実施形態の説明により明らかにされる。
【図面の簡単な説明】
【００１７】
【図１】本実施形態のプロジェクターの概略構成の一例を示す図である。
【図２】プロジェクターのブロック構成の一例を示す図である。
【図３】プロジェクターの動作フローの一例である。
【図４】プロジェクターにより表示制御される画像の例である。
【図５】プレゼンテーション画像のサイズ変更の変形例である。
【図６】メッセージ画像の変形例である。
【図７】プレゼンテーション画面とメッセージ画面とを含む表示画像の例である。
【図８】表示制御を実現するコンピューターのハードウェア構成例である。
【発明を実施するための形態】
【００１８】
本発明の一実施形態について、図面を参照しながら説明する。以下では、同じ構成に対しては同じ符号を付与し説明を省略する。
【００１９】
＜第１の実施形態＞
図１は、本実施形態の表示装置としてのプロジェクターの概略構成の一例を示す図である。プロジェクター１００は、画像投写部１２０、制御部１１０、記憶部１１１、操作パネル１１２、リモコン１１３、操作信号受信部１１４、入力端子群１１５、入力端子選択部１１６、画像信号処理部１１７、ＯＳＤ（On Screen Display）処理部１１８、時計部１１９、光源駆動部１３０、電源部１４０等を有する。画像投写部１２０には、光源１２１、光変調装置としての３つの液晶ライトバルブ１２２Ｒ，１２２Ｇ，１２２Ｂ、投写光学系としての投写レンズ１２３、ライトバルブ駆動部１２４等が含まれる。
【００２０】
光源１２１は、高圧水銀ランプやメタルハライドランプ等からなる放電型の光源ランプ１２１ａと、光源ランプ１２１ａが放射した光を液晶ライトバルブ１２２Ｒ，１２２Ｇ，１２２Ｂ側に反射するリフレクター１２１ｂとを含んで構成される。光源１２１から射出された光は、インテグレーター光学系（図示せず）によって輝度分布が略均一な光に変換され、色分離光学系（図示せず）によって光の３原色である赤色（Ｒ）、緑色（Ｇ）、青色（Ｂ）の各色光成分に分離された後、それぞれ液晶ライトバルブ１２２Ｒ，１２２Ｇ，１２２Ｂに入射する。
【００２１】
液晶ライトバルブ１２２Ｒ，１２２Ｇ，１２２Ｂは、一対の透明基板間に液晶が封入された液晶パネル等によって構成される。液晶ライトバルブ１２２Ｒ，１２２Ｇ，１２２Ｂには、マトリックス状に配列された複数の画素が形成されており、液晶に対して画素毎に駆動電圧を印加可能になっている。ライトバルブ駆動部１２４が、入力される画像データに応じた駆動電圧を各画素に印加すると、各画素は、画像データに応じた光透過率に設定される。つまり、光源１２１から射出された光は、この液晶ライトバルブ１２２Ｒ，１２２Ｇ，１２２Ｂを透過することによって変調され、画像データに応じた画像光が色光毎に形成される。形成された各色の画像光は、色合成光学系（図示せず）によって画素毎に合成されてカラー画像を表す画像光となった後、投写レンズ１２３によってスクリーンＳＣ等に拡大投写される。
【００２２】
制御部１１０は、ＣＰＵ（Central Processing Unit）や、各種データ等の一時記憶に用いられるＲＡＭ（Random Access Memory）等を備え、記憶部１１１に記憶されている制御プログラムに従って動作することによりプロジェクター１００の動作を統括制御する。つまり、制御部１１０は、記憶部１１１とともにコンピューターとして機能する。
【００２３】
記憶部１１１は、マスクＲＯＭ（Read Only Memory）や、フラッシュメモリー、ＦｅＲＡＭ（Ferroelectric RAM：強誘電体メモリー）等の不揮発性のメモリーにより構成される。記憶部１１１には、プロジェクター１００の動作を制御するための制御プログラムや各種データ等が記憶されている。
【００２４】
操作パネル１１２及びリモコン１１３は、プロジェクター１００に対して各種指示を行うための複数の操作キーを備えている。操作パネル１１２及びリモコン１１３が備える操作キーとしては、電源のオン，オフを行うための「電源キー」、各種設定を行うためのメニュー画像を表示させる「メニューキー」、メニュー画像における項目の選択等に用いられる「カーソルキー」、選択された項目を確定させる「決定キー」、操作の取り消し等に用いられる「取消キー」、入力ソース（画像信号の供給元、本実施形態では入力端子に相当する）を切り替えるための「入力ソース切替キー」、無効にすべき入力ソースを指定するための「入力ソース無効化キー」等がある。ユーザーが操作パネル１１２の各種操作キーを操作すると、操作パネル１１２は、ユーザーの操作内容に応じた操作信号を制御部１１０に出力する。また、ユーザーがリモコン１１３の各種操作キーを操作すると、リモコン１１３は、ユーザーの操作内容に応じた赤外線の操作信号を発し、操作信号受信部１１４がこれを受信して制御部１１０に伝達する。
【００２５】
入力端子群１１５は、ＰＣ（Personal Computer）等の情報機器、或いはビデオ再生装置等の映像機器等、外部の画像供給装置（図示せず）から、各種形式の画像信号を入力可能な複数の入力端子を備える。入力端子としては、例えば、情報機器等からの画像信号を入力可能なＰＣ系の入力端子、映像機器等からの画像信号を入力可能なビデオ系の入力端子等がある。
【００２６】
入力端子選択部１１６は、複数の入力端子のうち、制御部１１０の指示に基づく１つの入力端子を選択し、この入力端子に入力される画像信号を画像信号処理部１１７に出力する。
【００２７】
画像信号処理部１１７は、入力端子選択部１１６から入力された各種形式の画像信号を、液晶ライトバルブ１２２Ｒ，１２２Ｇ，１２２Ｂの各画素の階調を表す画像データ、即ち各画素に印加する駆動電圧を規定するための画像データに変換する。さらに、制御部１１０の指示に基づいて、変換した画像データに対して、明るさ、コントラスト、シャープネス、色合い等の調整や、ガンマ補正等の各種画質調整を施す。画像信号処理部１１７で画質調整がなされた画像データは、ＯＳＤ処理部１１８に出力される。
【００２８】
ＯＳＤ処理部１１８は、制御部１１０の指示に基づいて、メニュー画像やメッセージ画像等のＯＳＤ画像を、画像信号処理部１１７から入力される画像データに基づく画像（入力画像）上に重畳する処理を行う。ＯＳＤ処理部１１８は、ＯＳＤメモリー（図示せず）を備えており、ＯＳＤ画像を形成するための図形やフォント等を表すＯＳＤ画像データを記憶している。制御部１１０が、ＯＳＤ画像の重畳を指示すると、ＯＳＤ処理部１１８は、必要なＯＳＤ画像データをＯＳＤメモリーから読み出し、入力画像の所定の位置にＯＳＤ画像が重畳されるように、画像信号処理部１１７から入力される画像データにこのＯＳＤ画像データを合成する。ＯＳＤ画像データが合成された画像データは、ライトバルブ駆動部１２４に出力される。なお、制御部１１０からＯＳＤ画像を重畳する旨の指示がない場合には、ＯＳＤ処理部１１８は、画像信号処理部１１７から出力される画像データを、そのままライトバルブ駆動部１２４に出力する。
【００２９】
時計部１１９は時計であり、現在時刻を取得する。取得された現在時刻は制御部１１０に入力される。
【００３０】
ライトバルブ駆動部１２４が、入力される画像データに従って液晶ライトバルブ１２２Ｒ，１２２Ｇ，１２２Ｂを駆動すると、液晶ライトバルブ１２２Ｒ，１２２Ｇ，１２２Ｂは、画像データに応じた画像を形成し、この画像が投写レンズ１２３からスクリーンＳＣ等に投写される。
【００３１】
光源駆動部１３０は、制御部１１０からの指示に従って、光源１２１を点灯又は消灯させる。例えば光源ランプ１２１ａが高圧放電灯の場合には、光源駆動部１３０は、始動電圧を印加する点灯回路や、適正なランプ電流を供給する安定器などにより構成される。
【００３２】
電源部１４０は、プロジェクター１００に電力を供給する。また、電源部１４０は、制御部１１０からの指示に従って、電力供給を開始又は停止する。
【００３３】
上記の実施形態では、光変調装置として、透過型の液晶ライトバルブ１２２Ｒ，１２２Ｇ，１２２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００３４】
上記の実施形態では、光源１２１は、放電型の光源ランプ１２１ａによって構成されているが、ＬＥＤ（Light Emitting Diode：発光ダイオード）光源、ＬＤ（Laser Diode：半導体レーザー）、ＳＬＤ（Super Luminescent Diode）、有機ＥＬ素子等の光源や、その他の光源を用いることもできる。
【００３５】
図２は、プロジェクター１００のブロック構成の一例を示す図である。プロジェクター１００の記憶部１１１は、メッセージ情報２０１、予約情報２０２等を記憶している。制御部１１０は、時間設定部２１１、経過時間計測部２１２、メッセージ生成部２１３、画像取得部２１４、表示制御部２１５、電源制御部２１６等を含む。以下、入力端子選択部１１６を介して制御部１１０に入力される、プレゼンテーションのための画像をプレゼンテーション画像という。
【００３６】
メッセージ情報２０１は、プレゼンテーション等における割り当て時間（設定時間）に関する情報を通知するためのメッセージを含む。予約情報２０２は、プレゼンテーション等における時間に関する情報である。ここでは、予約情報２０２には、設定時間と、タイマー時間とが含まれているものとする。設定時間とは、プレゼンテーション開始から終了までの割り当て時間である。タイマー時間とは、プレゼンテーション画像の表示形態を変化させるための時間である。なお、後述するように、プレゼンテーション開始からの経過時間が設定時間を超過した後、表示そのものがオフされてもよい。
【００３７】
時間設定部２１１は、プレゼンテーションの時間管理に関する情報を取得して予約情報２０２として記憶部１１１に記憶させる。経過時間計測部２１２は、プレゼンテーションの経過時間を計測する。経過時間計測部２１２は、プレゼンテーションの開始のトリガーを受け付ける。このトリガーが計測開始の指示に該当する。トリガーとしては、操作パネル１１２やリモコン１１３の操作、ＰＣ等の情報機器からの信号入力などがある。また、ミュート状態の解除や電源ＯＮもトリガーとなりうる。経過時間計測部２１２は、プレゼンテーション開始のトリガーを受け付けてから現在までの経過時間および超過時間を時計部１１９から取得した現在時刻を用いて算出する。また、経過時間計測部２１２は、タイマー（図示略）も備えている。タイマーについては後述する。なお、経過時間計測部２１２が経過時間または超過時間を計測するためには、時計部１１９は必ずしも「現在時刻」を計時していなくてもよい。時間の経過が判定できる時刻情報であればよい。
【００３８】
メッセージ生成部２１３は、メッセージ情報２０１を用いて、設定時間と経過時間との差に応じたメッセージ画像を生成する。画像取得部２１４は、入力端子選択部１１６を介して制御部１１０に入力されるプレゼンテーション画像を取得する。表示制御部２１５は、サイズを変更したプレゼンテーション画像とメッセージ画像とを重ならないように、画像投写部１２０に出力して表示させる。電源制御部２１６は、光源駆動部１３０及び電源部１４０のうち少なくとも一方の駆動停止を制御する。
【００３９】
時間設定部２１１、経過時間計測部２１２、メッセージ生成部２１３、画像取得部２１４、表示制御部２１５、電源制御部２１６は、制御部１１０がプログラムを実行することにより実現してもよい。このプログラムは、予め記憶部１１１に記憶されていてもよく、可搬性記憶媒体（図示略）に記憶されているものを読取り書込み装置（図示略）が読み出してインストールしてもよく、通信ネットワーク（図示略）から通信インターフェース（図示略）を介してダウンロードされたものをインストールしてもよい。
【００４０】
また、時間設定部２１１、経過時間計測部２１２、メッセージ生成部２１３、画像取得部２１４、表示制御部２１５、電源制御部２１６のすべて又は一部は、ハードウェアにより実現されてもよい。
【００４１】
図３は、プロジェクター１００の動作フローの一例である。図３に示す動作は、プロジェクター１００の電源がオンされたときや、操作パネル１１２又は操作信号受信部１１４からの開始指示が入力されたときに起動するが、これに限定されない。なお、以下でいう「Ｓ３０１」などの「Ｓ」とは「ステップ」のことをいう。
【００４２】
経過時間計測部２１２は、プレゼンテーション開始のトリガーが入力されたか否かを判定する（Ｓ３０１）。トリガーが入力されていなかった場合（Ｓ３０１：Ｎｏ）、表示制御部２１５は、再度Ｓ３０１の処理を行う。トリガーが入力された場合（Ｓ３０１：Ｙｅｓ）、時間設定部２１１は、予約情報２０１を取得する（Ｓ３０２）。予約情報２０１は、ユーザーの操作により操作パネル１１２又は操作信号受信部１１４から入力され、時間設定部２１１が記憶部１１１に記憶させてもよく、予め記憶部１１１に記憶されていてもよい。ここで取得する予約情報２０１は、設定時間とタイマー時間とを含む。タイマー時間は、経過時間計測部２１２が備えるタイマーに設定される時間であり、単数又は複数が設定可能であるが、ここでは複数であるものとする。以下、設定時間として「１５分」が、タイマー時間として「３分」、「０分」、「超過１分」、「超過３分」が設定されたものとして説明する。ここでいう「３分」、「０分」は、それぞれ設定時間より３分前、設定時間ちょうどのことであり、「超過１分」、「超過３分」とは、それぞれ、設定時間を超過してから１分後、３分後のことである。換言すれば、経過時間が１２分、１５分、１６分、１８分の各々であり、実際にタイマーに設定される時間はこの経過時間となる。「超過３分」は最後のタイマー時間であり、本実施例においては超過３分にて表示をオフすることを示している。なお、経過時間ではなく、「３分」、「０分」、「超過１分」、「超過３分」をタイマーに設定してもよい。
【００４３】
画像取得部２１４により取得されたプレゼンテーション画像の投写は、図３のフローが開始した時に投写されていてもよいし、Ｓ３０１にてトリガーが入力された後に投写を開始してもよい。経過時間計測部２１２は、プレゼンテーション開始からの経過時間の取得を開始する。なお、ここでいう同時や同じは、厳密に同じ時だけでなく、許容される誤差などをも含む概念である。経過時間、設定時間、タイマー時間等も同様に許容される誤差などを含む概念である。
【００４４】
表示制御部２１５は、複数のタイマー時間のうちいずれか１つを初期タイマーとして、経過時間計測部２１２が備えるタイマーに設定する（Ｓ３０３）。初期タイマーとして設定するタイマー時間とは、予約情報２０２に含まれる複数のタイマー時間のうち、その時間が設定時間より前のものであり、且つ、時間が最も設定時間から離れているものである。すなわち、前述の例で言うと、「３分」であり、実際にタイマーに設定される時間は「１２分」である。
【００４５】
表示制御部２１５は、経過時間計測部２１２から取得する経過時間が、設定されているタイマー時間に到達したか否か判定する（Ｓ３０４）。
【００４６】
Ｓ３０４の判定の結果、到達してない場合（Ｓ３０４：Ｎｏ）、表示制御部２１５は、所定時間が経過した後、再度、Ｓ３０４の処理を行う。
【００４７】
Ｓ３０４の判定の結果、到達している場合（Ｓ３０４：Ｙｅｓ）、表示制御部２１５は、設定時間が経過したか否かを判定する（Ｓ３０５）。
【００４８】
Ｓ３０５の判定の結果、設定時間が経過していない場合（Ｓ３０５：Ｎｏ）、表示制御部２１５は、プレゼンテーション画像のサイズを、経過時間と、設定時間との差に応じて変更し、サイズ変更されたプレゼンテーション画像と、メッセージ生成部２１３の生成したメッセージ画像とが重ならないように画像表示を制御する（Ｓ３０６）。これにより、サイズ変更されたプレゼンテーション画像と、メッセージ生成部２１３の生成したメッセージ画像とが重ならない画像のデータが画像投写部１２０に出力される。
【００４９】
Ｓ３０６の処理の後、表示制御部２１５は、タイマー時間を設定し（Ｓ３０７）、再度、Ｓ３０４の処理を行う。Ｓ３０７で設定するタイマー時間とは、未設定のタイマー時間のうち、その時間が設定時間より前のものであり、且つ、時間が最も設定時間から離れているものである。従って、次のＳ３０４の処理では、Ｓ３０７で設定されたタイマー時間に到達したか否かが判定される。
【００５０】
一方、Ｓ３０５の判定の結果、設定時間が経過した場合（Ｓ３０５：Ｙｅｓ）、表示制御部２１５は、プレゼンテーション画像のサイズを、経過時間と、設定時間との差に応じて変更し、サイズ変更されたプレゼンテーション画像と、メッセージ生成部２１３の生成したメッセージ画像とが重ならないように画像表示を制御する（Ｓ３０８）。これにより、サイズ変更されたプレゼンテーション画像と、メッセージ生成部２１３の生成したメッセージ画像とが重ならない画像のデータが画像投写部１２０に出力される。
【００５１】
Ｓ３０８の処理の後、表示制御部２１５は、タイマーを設定する（Ｓ３０９）。Ｓ３０９で設定するタイマーとは、未設定のタイマー時間のうち、その時間が設定時間より後のものであり、且つ、時間が最も設定時間に近いものである。Ｓ３０９の処理を行い、所定時間が経過した後、表示制御部２１５は、経過時間計測部２１２の取得する経過時間が、設定されているタイマー時間に到達したか否か判定する（Ｓ３１０）。
【００５２】
Ｓ３１０の判定の結果、到達してない場合（Ｓ３１０：Ｎｏ）、表示制御部２１５は、所定時間が経過した後、再度、Ｓ３１０の処理を行う。
【００５３】
Ｓ３１０の判定の結果、到達している場合（Ｓ３１０：Ｙｅｓ）、表示制御部２１５は、最後のタイマー時間であるか否か判定する（Ｓ３１１）。
【００５４】
Ｓ３１１の判定の結果、最後のタイマー時間でない場合（Ｓ３１１：Ｎｏ）、表示制御部２１５は、上記Ｓ３０８の処理に移行する。一方、Ｓ３１１の判定の結果、最後のタイマー時間である場合（Ｓ３１１：Ｙｅｓ）、表示制御部２１５は、メッセージ生成部２１３により生成された電源オフすることを通知するメッセージ画像を表示するように制御し（Ｓ３１２）、光源駆動部１３０に指示を出力してスタンバイにさせる、または、電源部１４０に指示を出力して電力供給を停止させる、のうち少なくとも一方を行い（Ｓ３１３）、図３に示す動作フローの処理を終了する。なお、必ずしも電源オフやスタンバイにする必要はなく、画像表示をフリーズしたり、画像表示をミュートしたりしてもよい。また、Ｓ３１１の判定として、最後のタイマー時間を使用したが、これに限定されず、例えば許可時間を予約情報２０２に記憶しておき、それを使用しても構わない。この場合、経過時間と許可時間を比較することにより判定がなされる。
【００５５】
なお、メッセージ生成部２１３が、Ｓ３０６、Ｓ３０８で表示制御されるメッセージ画像を生成するタイミングは、Ｓ３０６、Ｓ３０８の表示制御より前であれば良く、特に限定しない。例えば、Ｓ３０３、Ｓ３０７、Ｓ３０９でのタイマー設定の際に行ってもよく、Ｓ３０６、Ｓ３０８の表示制御のときに行ってもよい。同様に、メッセージ生成部２１３が、Ｓ３１２で表示設定されるメッセージ画像を生成するタイミングは、Ｓ３１２より前であれば良く、特に限定しない。メッセージ生成部２１３は、メッセージ画像を生成するために、メッセージ情報２０１から、設定されているタイマーに応じたメッセージ情報を読み出し、これを用いてメッセージ画像を生成するとよい。
【００５６】
上記動作によりスクリーンＳＣ等に表示される画像の例を説明する。図４は、プロジェクター１００により表示制御される画像の例である。図４は、設定時間として「１５分」が、タイマー時間として「３分」、「０分」、「超過１分」、「超過３分」が設定された場合の例である。
【００５７】
図４（Ａ）の投写画像４０１は、プレゼンテーション画像４１１Ａのみを表示している。この表示は、プレゼンテーションの開始から経過時間が１２分までのときの例である。
【００５８】
図４（Ｂ）の投写画像４０２は、経過時間が１２分のときの例である。図示するように、サイズ変更されたプレゼンテーション画像４１１Ｂとメッセージ画像４１２Ｂとが重ならないように設定されている。
【００５９】
図４（Ｃ）の投写画像４０３は、経過時間が１５分のときの例である。図示するように、サイズ変更されたプレゼンテーション画像４１１Ｃとメッセージ画像４１２Ｃとが重ならないように設定されている。投写画像４０２と比較すると、投写画像４０３のほうが、投写画像面積に対し、プレゼンテーション画像４１１の占める割合が小さくなり、同時に、メッセージ画像４１２の占める割合が大きくなっている。また、メッセージ画像４１２Ｃに含まれるメッセージの量は、メッセージ画像４１２Ｂに含まれるメッセージの量より増えている。
【００６０】
図４（Ｄ）の投写画像４０４は、経過時間が１６分のときの例である。図示するように、サイズ変更されたプレゼンテーション画像４１１Ｄとメッセージ画像４１２Ｄとが重ならないように設定されている。投写画像４０３と比較すると、投写画像４０４のほうが、投写画像面積に対し、プレゼンテーション画像４１１の占める割合がさらに小さくなり、同時に、メッセージ画像４１２の占める割合がさらに大きくなっている。また、メッセージ画像４１２Ｄに含まれるメッセージの量は、メッセージ画像４１２Ｃに含まれるメッセージの量より増えている。
【００６１】
図４（Ｅ）の投写画像４０５は、経過時間が１８分のときの例である。図示するように、プレゼンテーション画像は表示されず、電源をオフとすることを通知するメッセージ画像４１２Ｅのみが表示される。
【００６２】
図４（Ｆ）の投写画像４０６は、投写画像４０５を表示した後、即ち、最後のタイマー時間を超過したときの投写面の例である。スタンバイ又は電源オフにより、投写面にはプレゼンテーション画像及びメッセージ画像のいずれも表示されていない。なお、前述したように、必ずしも電源オフ又はスタンバイにする必要はなく、電源をオンしたままで投写画像を非表示、又はミュート状態にしてもよい。
【００６３】
なお、表示制御部２１５は、メッセージ画像４１２の表示開始以降は、メッセージ画像４１２に含める残り時間又は超過時間を常時更新するように表示制御してもよい。この場合、表示制御部２１５は、設定されているタイマーに到達したときに、上記のようなプレゼンテーション画像のサイズ変更制御を行い、これとは別に、メッセージ画像４１２に含める残り時間又は超過時間を常時更新するように表示制御してもよい。
【００６４】
図４では、メッセージ画像に含めるメッセージとしてテキストが含まれる例を示しているが、これに限るわけではなく、テキストではない画像でもよい。
【００６５】
上記のように、サイズ変更されたプレゼンテーション画像とメッセージ画像とが重ならないように制御されるため、表示される画像の視認の妨げとならないように、時間に関する情報を表示することができる。
【００６６】
なお、ここでいう「重ならない」とは、厳密に重ならないだけでなく、表示機構の仕様や精度などにより許容される誤差範囲で重なっている場合をも含む概念である。
【００６７】
また、プレゼンテーションを開始してからの経過時間に応じて、プレゼンテーション画像のサイズを変更することができる。これにより、時間の把握が容易となる。
【００６８】
また、最後のタイマー時間を超えるとスタンバイ又は電力供給停止とするので、スタンバイ又は電力供給停止のためにユーザーが操作する必要がない。
【００６９】
また、プレゼンテーション画像を、表示を開始してからの経過時間と設定時間との差に応じて、メッセージ画像に含めるメッセージの量を変えることができる。差が小さくなるにつれ、又、超過した場合は差が大きくなるにつれ、メッセージ画像に含めるメッセージの量を多くすることにより、より効率的な注意喚起を実現できる。
【００７０】
上記では、タイマー時間を複数設定するものとしたが、単数でもよい。この場合のタイマー時間は、設定時間や最後のタイマー時間と同じでもよく、異なってもよい。
【００７１】
また、表示制御部２１５は、最後のタイマー時間を超過したときに、図４（Ｅ）の投写画像４０５のようにメッセージ画像のみを表示するように制御してもよいし、図４（Ｆ）の投写画像４０６のように、スタンバイ又は電力供給停止を行い、投写面にはプレゼンテーション画像及びメッセージ画像のいずれも表示されないように制御してもよい。
＜変形例１＞
【００７２】
図４では、プレゼンテーション画像のサイズ変更を、プレゼンテーション画像の表示領域である矩形の１つの角を基準とし、この角の位置を変えずにサイズ変更しているが、これに限るわけではない。図５は、プレゼンテーション画像のサイズ変更の変形例である。投写画像５０１は、サイズ変更されたプレゼンテーション画像４１１Ｆとメッセージ画像４１２Ｆとが重ならないように表示された例である。
【００７３】
図示するように、サイズ変更されたプレゼンテーション画像は、投写画像内の任意位置に位置させることができる。また、投写画像内のうち、プレゼンテーション画像が表示されない領域のすべてを、メッセージ画像とすることができる。
【００７４】
なお、ここでいう矩形とは、厳密な矩形だけでなく、投写機構の仕様や精度などにより許容される誤差範囲をも含む概念である。
＜変形例２＞
【００７５】
図６は、メッセージ画像の変形例である。図６は設定時間が１５分の場合の例である。図６（Ａ）の投写画像６０１は、経過時間が１２分のときの例である。図６（Ｂ）の投写画像６０２は、経過時間が１６分のときの例である。
【００７６】
図示するように、経過時間と設定時間との差に応じて、メッセージ画像に含まれるメッセージのサイズを変更してもよい。メッセージ画像４１２Ｈに含まれるメッセージのサイズは、メッセージ画像４１２Ｇに含まれるメッセージの大きさより大きい。このように、差が小さくなるにつれ、又、超過した場合は差が大きくなるにつれ、メッセージの大きさを大きくしてもよい。これにより、例えば時間など、強調したいメッセージに対しては、より効率的な注意喚起が実現できる。
＜変形例３＞
【００７７】
表示制御部２１５は、Ｓ３１２の処理より前に、設定時間の延長指示が入力されたか否かに応じて任意の処理を行ってもよい。延長指示は、ユーザーが操作パネル１１２又はリモコン１１３を操作することにより部１１２又は操作信号受信部１１４から入力される。あるいは、プロジェクター１００に接続されたＰＣ等の情報機器から入力されてもよい。また、延長指示の入力受付を、メッセージ画面を介して行ってもよい。このメッセージ画像は、メッセージ生成部２１３が生成してもよい。
【００７８】
図７は、プレゼンテーション画面とメッセージ画面とを含む表示画像の例である。表示画像７０１は、プレゼンテーション画面４１１Ｉとメッセージ画面４１２Ｉとを含む。メッセージ画面４１２Ｉは指示ボタン７１１を含む。ユーザーは、操作パネル１１２又はリモコン１１３を操作することにより、指示ボタン７１１を押下する。これにより、延長指示が制御部１１０に入力される。プロジェクター１００がインタラクティブ機能を搭載している場合は、指示体により直接投写面の指示ボタン７１１を選択することにより延長指示を入力してもよい。
【００７９】
延長指示が入力されると、表示制御部２１５は、設定時間に所定時間を加算して、以降は、図３に示す処理を続けてもよい。あるいは、表示制御部２１５は、経過時間の算出を停止させ、以降は図３に示す処理を行わず、プレゼンテーション画像の表示のみを行うようにしてもよい。
＜変形例４＞
【００８０】
上記では、経過時間に応じてプレゼンテーション画像のサイズを変更している。しかし、経過時間に応じた制御は音声に対して行ってもよい。この場合、表示制御部２１５は、経過時間と設定時間との差が小さいほど、又は、超過時間が長くなるほど、出力される音量が小さくなるように制御するとよい。また、表示制御部２１５は、最後のタイマー時間に達したときに、音声をミュート（音量がゼロ）としてもよい。あるいは、この音量制御と上記表示制御とを組み合わせてもよい。
【００８１】
＜第２の実施形態＞
上記の実施形態では、画像表示装置として、光源１２１から射出された光を変調して投写するプロジェクター１００を例にして説明しているが、透過型のスクリーンを一体的に備えたリアプロジェクター、或いは、液晶ディスプレイ、プラズマディスプレイ、ＳＥＤ（Surface-conduction Electron-emitter Display）、有機ＥＬ（Electro Luminescence）ディスプレイ等に適用することも可能である。なお、画像表示装置にプロジェクターを用いた場合には、他の画像表示装置に比べて、より大きなサイズで画像を表示することが容易になる。
【００８２】
本実施形態の表示制御は、例えば、ＰＣやタブレットなどのコンピューターにより実現してもよい。
【００８３】
図８は、本実施形態において表示制御を実現するコンピューターのハードウェア構成例である。コンピューター８００は、演算装置８０１、メモリー８０２、外部記憶装置８０３、入力装置Ｉ／Ｆ（インターフェース）８０４、出力装置Ｉ／Ｆ８０５、通信Ｉ／Ｆ８０６、読取り書込み装置８０７等を有する。これらはバス等により互いに接続されている。
【００８４】
演算装置８０１は例えばＣＰＵ等である。メモリー８０２は、揮発性メモリーや不揮発性メモリーで構成されている。外部記憶装置８０３は、例えばＨＤＤ（Hard disk drive）やＳＳＤ（solid state drive）等である。入力装置Ｉ／Ｆ８０４には、例えばキーボード、マウス、マイク、タッチパネルなどの入力装置８１１が接続される。出力装置Ｉ／Ｆ８０５には、例えばディスプレイ装置、スピーカ、プリンタ、タッチパネルなどの出力装置８１２が接続される。出力装置８１２としては、プロジェクター、リアプロジェクター、液晶ディスプレイ、プラズマディスプレイ、ＳＥＤ、有機ＥＬディスプレイなどのようなディスプレイ装置が少なくとも含まれる。コンピューター８００は、通信Ｉ／Ｆ８０６を介して通信ネットワーク（図示略）と接続する。読取り書込み装置８０７は、可搬性記憶媒体８０８へ情報を書込み、及び、可搬性記憶媒体８０８からの情報の読み取りを行う。
【００８５】
演算装置８０１は、上記制御部１１０と同じ構成、即ち、時間設定部２１１、経過時間計測部２１２、メッセージ生成部２１３、画像取得部２１４、表示制御部２１５、電源制御部２１６の機能を実行する。また、メモリー８０２、外部記憶装置８０３、読取り書込み装置８０７で読み取り可能な可搬性記憶媒体８０８のうち１つ又は複数には、メッセージ情報２０１、予約情報２０２が記憶されている。
【００８６】
コンピューター８００での表示制御は、上記第１の実施形態と同じであるので省略する。
【００８７】
本実施形態の、時間設定部２１１、経過時間計測部２１２、メッセージ生成部２１３、画像取得部２１４、表示制御部２１５、電源制御部２１６を、プレゼンテーション画像データを作成し、又は、スライドショー形式で表示するためのアプリケーションソフトの機能の一部として実現してもよい。
【００８８】
本発明の表示部の一例として、画像投写部１２０及び出力装置８１２のディスプレイ装置が該当し、時間設定部の一例として時間設定部２１１が該当し、経過時間計測部の一例として経過時間計測部２１２が該当し、メッセージ生成部の一例としてメッセージ生成部２１３が該当し、表示制御部の一例として表示制御部２１５が該当する。
【００８９】
以上、本発明者によってなされた発明を実施の形態に基づき具体的に説明したが、本発明は前記実施の形態に限定されるものではなく、その要旨を逸脱しない範囲で種々変更可能であることはいうまでもない。例えば、上記の実施例は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【００９０】
また、上記の各図において、制御線や情報線は説明上必要と考えられるものを示しており、必ずしも実装上の全ての制御線や情報線を示しているとは限らない。実際にはほとんど全ての構成が相互に接続されていると考えてもよい。
【符号の説明】
【００９１】
１００：プロジェクター、２０１：メッセージ情報、２０２：予約情報、２１１：時間設定部、２１２：経過時間計測部、２１３：メッセージ生成部、２１４：画像取得部、２１５：表示制御部、２１６：電源制御部、８００：コンピューター
【図１】
2015184649.tif 000003
【図２】
2015184649.tif 000004
【図３】
2015184649.tif 000005
【図４】
2015184649.tif 000006
【図５】
2015184649.tif 000007
【図６】
2015184649.tif 000008
【図７】
2015184649.tif 000009
【図８】
2015184649.tif 000010